(57)【要約】本発明は小包受箱電子装置及び関連操作方法に関する。本発明は、当該小包受箱電子装置が利用者を利用者集団に割り当てる手段と、利用者集団の所属に基づいて当該小包受箱電子装置の機能にアクセスする可能性を管理する、制御システムから成ることを特徴とする。
2005505365.tif 000002
【特許請求の範囲】
【請求項１】
利用者インタフェースのある、電子小包受箱システムであって、該電子小包受箱システムによって、前記利用者インタフェースは前記電子小包受箱システムの利用者から情報を取得する手段を有し、前記電子小包受箱システムは前記利用者の利用者集団に対する割り当ての手段を有し、かつ、前記電子小包受箱システムには、前記利用者が所属する前記利用者集団に応じて、前記電子小包受箱システムの機能をアクセスする可能性を制御するシステム制御が備え付けられていることを特徴とする小包受箱システム。
【請求項２】
請求項１記載の小包受箱システムであって、前記利用者の利用者集団への割り当ての手段は、前記利用者インタフェースから取得された前記情報が前記利用者の前記割り当ての前記手段によって利用可能なように、前記利用者インタフェースに接続されることを特徴とする小包受箱システム。
【請求項３】
請求項１及び２の一方又は両方に記載の小包受箱システムであって、前記利用者の利用者集団に対する割り当ての前記手段はデータ回線を経由して送信された情報に基づいて前記割り当てを行うことを特徴とする小包受箱システム。
【請求項４】
請求項１乃至３の１つ以上に記載の小包受箱システムであって、前記利用者集団に対する前記割り当てが、利用者識別情報を取得して、かつ、前記利用者識別情報とデータベース中の記載項目との比較を行うことによって行われることを特徴とする小包受箱システム。
【請求項５】
請求項１乃至４の１つ以上に記載の小包受箱システムであって、異なる利用者集団について、前記電子小包受箱システムの機能に対する異なるアクセス許可を選択し得ることを特徴とする小包受箱システム。
【請求項６】
請求項１乃至５の１つ以上に記載の小包受箱システムであって、特定の小包受箱及び／又は小包受箱群が特定の利用者集団にのみアクセス可能であることを特徴とする小包受箱システム。
【請求項７】
請求項６記載の小包受箱システムであって、前記小包受箱の前記利用者集団に対する前記割り当ては変更し得ることを特徴とする小包受箱システム。
【請求項８】
電子小包受箱システムを操作する方法であって、該方法によって該電子小包受箱システムの利用者の情報が取得され、該情報の確かめられたものに基づいて、前記利用者が利用者集団に割り当てられ、かつ、前記電子小包受箱システムは、該電子小包受箱システムの機能をアクセスする可能性が、前記利用者の属する前記利用者集団に応じて、割り当てられるような制御を行うことを特徴とする方法。
【請求項９】
請求項８記載の方法であって、前記アクセスする可能性の前記制御が、利用者を少なくとも１つの特定利用者集団に対して割り当てた後、いくつかの小包受箱を基本的に同時に開けさせる機能を起動し得るように、引き起こされることを特徴とする方法。
【発明の詳細な説明】
【技術分野】
【０００１】
本発明は、利用者から情報を取得する手段を有する利用者インタフェースのある、電子小包受箱（コンパートメント）システムに関する。
【０００２】
本発明は更に電子小包受箱システムを操作する方法に関する。
【背景技術】
【０００３】
従来の技術には、一般的な類の電子小包受箱システムのものがある（特許文献１参照。）。該電子小包受箱システムは小包受箱に物品を配置する納入業者だけでなく、小包受箱から物品を集める顧客の識別及び許可を、カードによって自らを識別してカード保有者の身元をチェックする役目を担う操作端末に機密番号を入力することによって行う。
【特許文献１】
仏国特許発明第２５６３９８７号明細書
【発明の開示】
【発明が解決しようとする課題】
【０００４】
本発明は可能な限り柔軟に用い得る電子小包受箱システムを創作する目的に基づくものである。
【課題を解決するための手段】
【０００５】
本発明によれば、この目的は、電子小包受箱システムが利用者を利用者集団に割り当てる手段を有するよう構成されていて、かつ、電子小包受箱システムには、利用者が属する集団に応じて、電子小包受箱システムの機能をアクセスする可能性を制御するシステム制御が備えられている、という点で達成される。
【０００６】
本発明は特に、異なった機能モジュールのある電子小包受箱システムを構成することを求め、個々の機能モジュールに対するアクセスは特定の利用者のみ可能とする。
【０００７】
小包受箱システムの利用において考えられる最も高い柔軟性と、保護機能への不正アクセスに対する高いセキュリティとを兼ね合わせるために、該利用は異なる利用者集団によって別個に実施される。
【０００８】
利用者集団は当該配達物装置に対する同様なアクセス・プロフィールのある、すなわち、当該配達物装置にて同様な手順を行う、人々の集団である。
【０００９】
小包受箱システムの利用者が属する利用者集団は種々の方法にて確かめることが可能である。
【００１０】
したがって、例えば、データ回線を経由して伝送された情報に基づいてこの割り当てを行うよう利用者を利用者集団に割り当てる手段が有益である。
【発明を実施するための最良の形態】
【００１１】
小包受箱システム及びその操作の方法の有益な実施例は、利用者インタフェースから取得した情報が上記の利用者割り当て手段によって利用可能になるように、利用者を利用者集団に割り当てる手段が利用者インタフェースに接続される点で特徴付けられる。
【００１２】
小包受箱システム及びそれを操作する方法の特に好適な実施例においては、利用者集団への割り当ては、利用者識別情報を取得し、利用者識別情報とデータベースの記載項目とを比較することによって行われる。
【００１３】
さらに、異なった利用者集団において、電子小包受箱システムの機能をアクセスするのに異なった許可を選択し得るのは有益である。
【００１４】
さらに、特定の小包受箱及び／又は小包受箱群が特定の利用者集団によってのみアクセス可能である事は有益である。
【００１５】
このようにして、異なる利用者分類及び異なるサービス・レベルを設けることが可能である。
【００１６】
異なった小包受箱及び／又は小包受箱の区域を割り当てることにより、配達レベルに段階を付けることを可能にする。
【００１７】
例えば、保証配達形態から成るプレミアム・サービスを実現し得る。
【００１８】
そのようなプレミアム・サービス・オプションは高額及び／又は、医薬若しくは必須の据付における交換部品のような緊急の物品を発送するのに特に適している。
【００１９】
本発明の特許請求の範囲の従属項、及び図面を参照した好適実施例の以下の説明は、本発明の更なる利点、特徴及び実用的改良につながるものである。
【実施例】
【００２０】
以下の説明は、６つの異なった利用者集団のある包括的ロジスティック・システムの例に基づいた、本発明の実現形態を表すものである。
【００２１】
利用者集団の数だけでなく、利用者集団に割り当てられた電子小包受箱システムの要求可能な機能も大いに可変である。
【００２２】
特に、６つの異なった利用者集団の例はいかなる所望の利用者集団数にも拡張し得る。該利用者集団数は、小包受箱システムの特性、該システムを操作する方法の特性、及びロジスティック・システムの特性によって変わってくる。
【００２３】
しかしながら、以下の利用者集団：
当該配達物装置に配達する郵便配達人（配達人）；
顧客（登録受取人）；
企業間電子商取引（Ｂ２Ｂ）顧客（登録Ｂ２Ｂ受取人）；
Ｂ２Ｂ配達人；
保守技術者（管理者）；  及び
配達物装置製造業者；
を設けるのが特に有益である。
【００２４】
図１からわかるように、一旦、顧客カードが挿入されると、コール・センターの機能は利用者集団の全てが利用可能になる。受取人又は配達人が自らのカードを挿入した後は、該カードは読取装置中に残っていないことが望ましい。問題がある場合、カード上に印刷されたポスト番号はコール・センターの機能の範囲内で用いられることが可能なように、カードは直ちに弾き出される。
【００２５】
確かめることが可能な基準に基づいて、利用者が利用者集団に割り当てられる。この割り当ては、例えば、特定の識別コード又は数の集合が特定の利用者集団に割り当てられるだけという点で、固定の方法にて行うことが可能である。しかしながら、利用者の利用者集団への動的割当てを実施するのは同様に有益である。
【００２６】
そのような、利用者の利用者集団への動的割当ては、例えば、利用者を利用者集団に割り当てるデータが適切なサーバーによって送信されることによって行われる。
【００２７】
利用者の割り当ては利用者の認証に並行して実施されることが望ましい。
【００２８】
一旦、サイン・イン（ログ・イン）が成功すると、特定の利用者集団の利用者メニューが表示される：
１．利用者が配達物装置の場所に到着する。
【００２９】
２．配達物装置がモニタ上で利用者に顧客カードを挿入するよう促す。
【００３０】
３．顧客カードが挿入される。この手順は配達物装置上の対応する画像によって描写れ、更に、顧客カードの描写が挿入スリットに表されるはずである。
【００３１】
４．ポスト番号がカードから読み取られる。これが可能でなければ、受取人はポスト番号を手入力するよう要求される。
【００３２】
５．ポスト番号がチェックされる。該ポスト番号が誤っている場合、再び手入力が要求される。これは第３の手入力まで繰り返され、その後は顧客サービス電話についての参考情報が示される。配達物装置は入力が３０秒なければ、直ちに項目１に戻る。
【００３３】
６．ポスト番号が正しければ、配達物装置は利用者にポスト・ピン（Ｐｏｓｔ  Ｐｉｎ）番号を入力するよう要求する。ポスト・ピンは個人識別番号である。該番号は配達物装置における識別の役目を担う。当該検査はポスト・ピン番号をチェックして、該番号がポスト番号と整合するかをみるものである。ポスト・ピン番号は第３の誤入力の後（配達人の場合、第５の入力後）２４時間は遮断されなければならない。さらに、カード保有者は遮断、及びコール・センターによって再び解除される可能性について電子メール又はＳＭＳ（ショート・メッセージング・サービス）によって通知されるべきである。事前に定義可能な時間間隔の後、遮断されたポスト・ピンは再び解除し得るか、若しくは再び、自動的に解除される。ポスト・ピンが顧客番号と整合する場合、利用者種別がポスト番号に基づいて確かめられる利用者種別はポスト番号中の数の集合に基づいて電子小包受箱システムによって定義されることが望ましい。
【００３４】
８．（原文のまま）利用者は属する利用者集団の特定の開始メニューへのアクセス権が付与される。
【００３５】
種々の利用者集団の個々の機能プロフィールを以下に表す：
配達人は、保管期限を越えた発送品を送り返すために小包受箱システムから取り去る。
【００３６】
配達人は更に小包受箱システムを郵便物によって満たす。郵便物は郵便小包、包装物、代金引換払い（ＣＯＤ）包装物が望ましい。しかしながら、郵便物は同様に書状であり得る。
【００３７】
運送事業者の配達人は配達物装置の、Ｂ２Ｂ配達人に予約された区域へはアクセスできない。
（受取人）
第１工程では、この利用者集団は小包受箱システムからの発送品を受け取るだけの利用者から成る；第２工程では、小包受箱システムに配達を行う可能性が更に利用できるようにすべきである。返却物及び前払い商品がこのシナリオにおいては理想的である。
（Ｂ２Ｂ受取人）
上記の受取人とは違って、Ｂ２Ｂ受取人は配達物装置から発送品を受け取ることができるのみならず、Ｂ２Ｂ配達人に対して返却物を置いておくこともできる。
【００３８】
Ｂ２Ｂ区域における返却物は、発送人に、送り返すべき、すなわち送り返さなければならない、発送品、分納での発送品、又は容器のことである。
【００３９】
返却物が提出されると、該返却物は配達物装置のＢ２Ｂ区域に制限される。Ｂ２Ｂ受取人は利用者メニュー上の「返却物の提出」を選択し得、次に（受箱のサイズに応じて）未使用の受箱の概観が表示され、Ｂ２Ｂ受取人は受箱を選択し、かつ、その受箱を開けたらすぐに返却物を中に置き得る。
【００４０】
（Ｂ２Ｂ配達人）
Ｂ２Ｂ配達人はＢ２Ｂ受取人に対する発送品を配達し、該当すれば、これらの受取人が当該場所に置いた発送品を受け取る。位置の点から、配達物装置のＢ２Ｂ区域の受箱を組み合わせることが推奨される。このようにして、Ｂ２Ｂ受取人とＢ２Ｂ配達人とは配達物装置中にて、より容易にたどり着くことが可能になる。
【００４１】
Ｂ２Ｂ配達人は配達物装置のＢ２Ｂ区域における全ての受箱にアクセスでき、すなわち、必要であれば、Ｂ２Ｂ配達人は、例えば、ロッカー・システムにおける高速積込みで行われるように、空受箱の全てを配達人装置によって開けさせることが可能になる。
【００４２】
高速積込みは、いくつかの小包受箱、もしできれば、受箱の区域全部を開けることによる、配達物装置の大量積み込みのことである。
【００４３】
（保守技術者）
基本的に、保守技術者は配達物装置上の全ての作業を行うことができるようにすべきである。必要であれば、受取人に対する発送品を取り除いて、特別な配達手順によって転送すべきである。電子小包受箱システムの機能区分は、適切に許可された従業員が返送品だけではなく、発送品を配達したり、受け取ったりすることができるように構成されている。特に高い権限レベルにおいては、これらの作業は小包受箱システムの全ての区域について実施し得る。この特に高い権限レベルは小包受箱システムの保守及びエラー・チェックの機能を実行して、小包受箱システムの全ての受箱を開ける能力を含む。これらのアクセス権はマスタ顧客カード及びポスト・ピンによって認証される。苦情のある受取人のポスト番号が入力された後、発送品が表示される。全ての普通小包は直ちに取り除き得る。ＣＯＤ発送品は取り出され、かつ、更に処理されるが、これは（手書きリストと、代替支払の伝票がある）標準の郵便の方法、及びスキャナーに類似している。
【００４４】
（配達物装置製造業者）
配達物装置製造業者の人員又は委託会社の人員は技術サービスを技術サービス規定にしたがって設けるのに配達物装置上の全ての必要作業を実施し得る。
【００４５】
（利用者集団の概観）
【００４６】
【表１】
2005505365.tif 000003
既に説明したように、利用者集団の中で、認証に基づいて、区別し得る。認証後、利用者は所属する利用者集団用メニューへのアクセス権を取得し、該メニューにおいては利用者が当該利用者集団に対して解放された活動を選択し得る。
【００４７】
認証は：
１．ゴールド・カードを挿入する；
２．利用者集団をチェックする；
３．ポスト・ピンを入力する；
４．ポスト番号とポスト・ピンをチェックする；及び
５．第１利用者集団メニューを開ける；
ことによって実施されることが望ましい。
【００４８】
標準利用者許可のある受取人及びＢ２Ｂ受取人はゴールド・カードを挿入することで、あるいは、ポスト番号及びポスト・ピンを手入力することで、配達物装置にて発送品を受け取り得る。Ｂ２Ｂ受取人は更に返却物を当該場所に置くことも可能である。
【００４９】
特定の利用者集団のみに特定の機能を割り当てることが有益である一方、利用者集団のほとんどが特定の基本機能を利用することを可能にするのが有益である。そのような基本機能には：
特に利用者カード挿入後に、顧客サービス電話に電話回線でアクセスするオプション；
「終了」オプションへのアクセス（このオプションは小包受箱システムからのサイン・アウト（ログ・オフ）を有し、かつ、挿入された利用者カードを利用者に対して戻させることが有益である）；及び
配達物装置が利用者（配達人）に個々の手順オプションの数値ステータスを与えること（例えば、返送品として５個の発送品がある場合、「返送品（５）」を表示すべきである。「発送品の配置」のメニューにおいては、空受箱の数が表示されるべきである。同様に、「不具合受箱の表示」のサブ・メニューでは、不具合受箱数のみならず、受箱数が表示される）；
を含む。
【００５０】
当該電子小包受箱システムはさまざまな方法にて操作し得る。以下に、該方法の特に好適な実施例を示す。
【００５１】
該方法は電子小包受箱システム内機能の自動制御から成る。
【００５２】
これらの自動機能は利用者インタフェースに連結されることが望ましい。
【００５３】
基本的に全ての機能を自動化し得るが、利用者インタフェースの実施は方法を変更することが可能な機能を有する。
【００５４】
本発明によれば、利用者インタフェースは、異なった利用者集団に対して異なったメニューを含む。
【００５５】
個々のメニュー項目は以下の順序にて表示され、対応する機能が電子小包受箱システム内で処理される。
【００５６】
メニュー項目は以下の括弧内に表されるステータス情報によって少なくとも部分的に改良されることが有益である。
【００５７】
（標準配達人）
１．  返送品を集配する（ＤＰＡＧ返送品数）
２．発送品を受箱の中に置く、ＣＯＤ発送品の場合、発送人情報は配達物装置に積み込む間にＤＰＡＧ配達人によって入力されるので、受取人はＣＯＤ発送品の発送人が誰であるかを分かり得る（ＤＰＡＧ受箱サイズ群毎、空受箱数）
３．  不具合受箱を表示する（ＤＰＡＧ不具合受箱数；受箱数）
４．終了
（受取人）
この利用者集団は自らのために残された発送品を受け取るだけが可能なので、考えられる手順のメニューは不要である。後に、いくつかのオプションがＤＰＡＧの受取人において可能になる場合、このメニューは変更し得る。
【００５８】
１．利用者のために残された全ての発送品が一覧化される。ＣＯＤ発送品の場合、ＣＯＤ金額及び発送人情報が表示される。ＤＰＡＧ受取人は次に発送品を選択するよう促される。ＤＰＡＧ受取人は更に続けて「発送品の受け取り」手順を実施する。サイン・インした受取人に対する発送品がない場合、これが受取人に対して「発送品なし」として表示される。
【００５９】
２．発送人一覧表の下には、「終了」のオプションがある。
【００６０】
（Ｂ２Ｂ受取人）
１．この利用者集団は主に、残された発送品を受け取るので、これはＤＰＡＧ受取人の使用上の指示と同様に表示すべきである。Ｂ２Ｂ受取人はＢ２Ｂ区域からのみ発送品を受け取り得る。全ての発送品がディスプレイ上に一覧化される。利用者に残された発送品の全てが表される。Ｂ２Ｂ受取人は次に発送品を選択するよう促される。Ｂ２Ｂ受取人は更に続けて「発送品の受け取り」の手順を実行する。サイン・インした受取人に対する発送品がない場合、これが受取人に向けて表示される。
【００６１】
２．発送品の一覧表の下には、「返却物の配置」のオプションがある。この項目が選択された後、受箱サイズを選択し得る。受箱を開けて返却物を（スキャンせずに）置くことができ、受箱を閉じることができる。
【００６２】
３．「返却物の配置」のオプションの下には、「終了」オプションがある。
【００６３】
（Ｂ２Ｂ配達人）
ＤＰＡＧの社内要員／専用運転手とは対照的に、Ｂ２Ｂ配達人は、同時に、Ｂ２Ｂの顧客であり、すなわち、Ｂ２Ｂ配達人は更に発送品を受け取り得る。これは以下のメニューにつながる：
１．返却物の受け取り
（返送品及びＢ２Ｂ返却物の数）
２．発送品の受け取り
３．発送品の配置
（Ｂ２Ｂ受箱サイズ群毎空受箱数）
４．受箱の開放
５．不具合受箱の表示
（Ｂ２Ｂ不具合受箱数）
６．終了
（保守技術者）
保守技術者は管理者機能を有し、配達物装置上の全ての手順を実行することが可能であるべきである。これはＤＰＡＧ区域及びＢ２Ｂ区域へのアクセス権を含む。
【００６４】
「発送品の受け取り」、「受箱の開放」及び「不具合受箱の表示」はポスト２４の従業員にとっては配達物装置全体に関する。
【００６５】
これは以下のメニューをもたらす：
１．返送品の受け取り
（ＤＰＡＧ返送品数）
２．Ｂ２Ｂ返送品の受け取り
（Ｂ２Ｂ返送品数）
３．発送品の配置
（ＤＰＡＧ空受箱数）
４．Ｂ２Ｂ発送品の配置
（Ｂ２Ｂ空受箱数）
５．発送品の受け取り
（配置発送品数表示）
６．受箱の開放
７．不具合受箱表示
（不具合受箱数）
８．終了
（配達物装置製造業者）
配達物装置製造業者の人員又は製造業者によって委託された会社の人員は技術サービス規定に従ってサービスを設けるのに必要な全ての作業を実行し得る。
【００６６】
考えられる手順の描写は例示によってのみわかるものであり、操作要件にしたがって変更や改良が可能である。
【００６７】
利用者の利用者集団への割り当ては更に小包受箱システムの他の機能に対するアクセスについても有益である。
【００６８】
そのような機能の例を以下に説明する。
【００６９】
（発送品の受け取り（標準））
特定の受取人が想定されている全ての発送品は保管期間（先入ー先出）によって一覧化される。次に発送品はディスプレイ上の個々の選択によって一度に一つずつ取り出し得る（必ずしも保管期間によらない）。受箱の扉を閉めた後、「続行」によって確認する。発送品一覧はその場合、自動的に更新され、表示される。
【００７０】
ＣＯＤを伴わない発送品の場合、取り出しの準備がされている。受箱を開ける。受取人は小包を取り出すようモニタ上で促され、小包を取り出し、該当すれば、扉を閉める。確認フィールドとして「続行」及び「取り出し失敗」がある。この情報が配達物装置によって取得されて更に処理される。発送品がまだある限りは「続行」の後に更新発送品一覧が表示される。更に利用者メニューが、利用者集団に従って、もう一度表示される。
【００７１】
ＣＯＤ注文の支払いは、該当すれば、支払い機能の製造業者のハードウェア、すなわち、カード読み取り器及びＰＩＮフィールドによって規定される（カード支払いの一連のメニューはカード読み取り装置の納入業者によって表される）。これらは正確に記述されなければならない。上記の制約を考慮すれば、支払い手順は以下のようになる：
発送品情報がＣＯＤ合計金額と発送人情報とともに表示される。利用者はＥＣカード又はキャッシュ・カードを挿入するよう促される。
【００７２】
ＥＣカードの場合、カードは読み取られると、利用者はＥＣカードのＰＩＮを入力するよう促される。受取人がもう一度利用者メニューに戻る、「中止」と呼ばれるフィールドがある。受取人はＰＩＮを入力することによって支払いを認定することをはっきりと知らされなければならない。ＰＩＮが入力された後、チェック手順が実行される。支払いがなされると、カードは排出される。取り出しが失敗した場合、ディスプレイは支払いがなされたかどうかを示す。
【００７３】
ＥＣカードのＰＩＮが正しくなければ、試みが許される限りは何度も繰り返しＰＩＮが要求される。
【００７４】
キャッシュ・カードの場合、利用者は、例えば、「支払い処理する」又は「支払い処理しない」のように、支払いを確認しなければならない。「支払い処理する」の場合；キャッシュ・カードの残高が減らされ、さもなければディスプレイは利用者メニューに戻る。キャッシュ・カードの残高が十分でない場合は、これを表示しなければならず、部分的な支払いは処理し得ないので当該手順は中止される。
【００７５】
支払い取引の完了毎に、日付、時刻、ＣＯＤ金額、識別コード、発送人、ポスト２４顧客番号及び付加価値税を示す領収書が発行される。その場合、発送品を取り出し得る。
【００７６】
ポスト２４顧客番号は受取人識別情報の一例である。受取識別情報のデータ長は、可変であり、多数の受取人を包含することが可能で、かつ、更に、例えば、検査ディジットのような追加情報を設けることが可能なように選択されることが望ましい。ここで説明した場合においては、例えば、登録中に受取人に割り当てられた、おおよそ１０桁の数であることが望ましく、本発明の有益な実施例においては、該番号は配達住所の末尾に追加された名前として位置付けられる。
【００７７】
支払い処理が成功した後、又は操作の中止、若しくはＰＩＮを入力する、誤った試みが多すぎる場合、ＥＣカード又はキャッシュ・カードが排出される。受取人はカードを取り去るよう促される。ＣＯＤの発送品の取り出しに成功した後、利用者はＥＣカード又はキャッシュ・カードを取り去って、「終了」によってログ・アウトすることなく配達物装置を離れることが可能になる。所定の時間の経過後、自動ログ・アウトが行われる。
【００７８】
（発送品（Ｂ２Ｂ）の受け取り）
自らに対して置かれた発送品を選択した後は、該品目は取り出しの用意ができている。受箱を開ける。受取人は発送品を取り出すようモニタ上で促される。確認フィールド「続行」及び「取り出し失敗」が出現する。入力情報は配達物装置によって捕捉されて更に処理される。次にもう一度利用者メニューが、利用者集団に応じて、表示される。取り出し情報はここに既に組み入れられている、すなわち、取り出しの成功はもはや表示されないが、当該取り出し失敗は明示される。
【００７９】
（返却物の配置）
Ｂ２Ｂ受取人は返却物を配置するオプションを有する。利用者が既に１回のログオン・セッション中に発送品を取り出していた場合、利用者は発送品を取り出した受箱中に返送品を配置するよう選択することが可能である。後に、各受箱サイズ群について利用可能な受箱が累積で表示される。
【００８０】
発送品が取り出されていない、又は発送品が受箱におさまらなかった場合、利用者にはＢ２Ｂ区域の各受箱サイズ群のうちの空受箱が示される。利用者は次にそのうちの一つをタッチ画面によって選択し得、又、発送品が、利用可能な受箱には大きすぎる場合、「中止」し得る。発送品を配置した後、利用者は「続行」によって確認する。この後、又は「中止」の後は、利用者はもう一度利用者メニューに戻る。
【００８１】
（発送品の配置（標準））
ａ）  標準発送品の配置
メニュー項目「発送品の配置」の選択後、受取人のポスト番号が要求される。ポスト番号は発送品の受取人のポスト２４顧客番号である。これはスキャニングしても、手入力してもよい。利用者がもう一度利用者メニューに戻る、「中止」のフィールドがある。
【００８２】
ポスト番号が入力されると、発送品の識別コードが要求される；これも、又、読み取っても、手入力してもよい。識別コードのない小包までもが又、配達物装置に配達されるので、利用者には「識別コードのない発送品」のフィールドを設けなければならない。
【００８３】
利用者がもう一度利用者メニューに戻る「中止」フィールドがある。
【００８４】
「識別コードのない発送品」を選択すると、標準区域内の空受箱の選択が表示され、受箱を選択する。循環昇降機システムの場合、この選択は更に利用可能な受箱サイズか、さもなければ高速積み込みによって引き起こし得る。利用者がもう一度利用者メニューに戻る「中止」フィールドがある。ここで、循環昇降機システムにおいては、受箱への割り当てが識別コード及び受箱番号をスキャンすることによって引き起こされることを考慮しなければならない。
【００８５】
利用者は「積み込み成功」、「受箱サイズを超過」又は「中止」を示さなければならない。「中止」では、利用者は顧客番号の入力に戻り、又、「積み込み成功」では、発送品は配置されたものとみなされる。「受箱サイズを超過」の場合には、より大きな受箱の可能性が求められる。
【００８６】
ｂ）  ＣＯＤ発送品の配置
スキャニング又は手作業による、ＣＯＤ配送品の識別コードの入力は専用メニュー項目によって可能になる。ＣＯＤ金額をユーロ又はドイツ・マルクで入力し、発送人情報の入力を可能にすることが必要になる。ここでは、仮想キーボードが利用可能であることが必要になる。更に、利用者がポスト番号の入力に戻るフィールドとして「中止」がある。配達物装置概観によって、受箱、受箱サイズ又は高速積み込みを選択し得る。
【００８７】
利用者は「続行」、「受箱サイズを超過」又は「中止」を示さなければならない。「中止」を選択することによって、利用者は顧客番号の入力に戻り、又、「積み込み成功」においても、発送品は、配置されたとみなされてＣＯＤ金額の支払いと引き換えでのみ利用者にアクセス可能にされる。「受箱サイズを超過」の場合、より大きな受箱の可能性が提示される。
【００８８】
高速積み込みは循環昇降機システムにおいて用い得る。これが選択された場合、受箱区域全体が開けられ、積み込み用に開放される。受箱の選択は利用者によってなされ、それは積み込みが成功の場合、受箱番号をスキャンすることによって配達物装置に示される。この受箱選択工程を除けば、上記の手順は同様のものである。
【００８９】
（Ｂ２Ｂ発送品の配置）
顧客カードで読み取られた後は、ポスト・ピンが入力されてメニュー項目「Ｂ２Ｂ発送品の配達」が選択され、発送品が配達物装置に配達されるよう、ポスト番号が要求される。ポスト番号は発送品の受取人のポスト２４顧客番号である。これはスキャンされるか、手入力される。フィールドとして、「発送品の配置」及び「中止」がある。「中止」では、利用者は利用者メニューに戻る。「発送品の配置」では、Ｂ２Ｂ配達人は顧客番号の入力を確認して受箱の選択がＢ２Ｂ区域のうち利用可能な受箱の中から（受箱サイズ群によって累積で）表示される。利用者は更により大きな受箱サイズ又は「中止」を選択し得る。（例えば、循環昇降機システムのように、受箱の選択が可能でない場合、利用可能な受箱サイズが表示される。）更に循環昇降機システムにおいては、個々の受箱を積み込むことが可能である。数及びサイズによって選択された受箱は開かれて利用者は「積み込み成功」によって確認し得、若しくは、該当する場合、利用者はより大きな受箱を「受箱サイズを超過」又は要求し得、又は「中止」によって、利用者メニューに戻り得る。「続行」の後、利用者は選択的に追加の発送品を配置するために顧客番号の入力に戻る。「受箱サイズを超過」が選択された場合、利用者はより大きな受箱が与えられる。ここでは、利用者は「続行」、「受箱サイズを超過」及び「中止」の中から選択し得る。
【００９０】
（返送品の受け取り）
返送品は保管期間を超過して、かつ、更に転送されたか、若しくは、発送人に送り返された、発送品のことである。
【００９１】
（標準返送品）
標準配達人としての認証の後、第１強制処理工程は返送品の取り出しを表示してそれらを処理する。配達人には、利用者メニューに戻ることを可能にする「中止」フィールドのみならず、全ての返送品を開放する「返送品の取り出し」フィールドが示される。標準配達人がこの項目を選択する場合、返送品として選び出された、配達物装置の標準区域における、全ての発送品、すなわち、配達物装置における保管期間が満了したもの、が配達人に開放される。
【００９２】
発送品は「取り出し成功」によって取り出されたものとして示される。「取り出し失敗」の場合、発送品は取り出されていないものとして示される。それ以上返送品がない場合、利用者は自動的に利用者メニューに戻る。
【００９３】
（Ｂ２Ｂ返送物）
Ｂ２Ｂ配達人がこの項目を選択する場合、配達人は返送の用意ができている、Ｂ２Ｂ区域における全ての発送品、すなわち、配達物装置における保管期間が満了したもの、が示されて、「返却物の配置」として示された発送品の全てが一覧化される。配達人は利用者メニューに戻ることを可能にする「中止」フィールドが示される。「返送品の取り出し」のフィールドは返送品又は返却物を開放する。
【００９４】
「続行」では、発送品は取り出されたものとして示され、「取り出し失敗」では、発送品は取り出しされなかったものとして示される。それ以上返送品がない場合、利用者は自動的に利用者メニューに戻る。
【００９５】
（受箱の開放）
（緊急取り出し）
保守技術者（管理者）はこのメニュー項目によって標準区域における受箱の全てを開放し得る。以下の選択基準、すなわち：
配達物装置の受箱数を意味し、受箱数が目に見えない循環昇降機システムでは可能でない、「受箱番号による」；
発送品の識別コードを意味し、期待に反して、同一の識別コードのある発送品がいくつかある場合、発送品を選択する一覧表が表示される、「識別コードによる」；
ポスト２４顧客番号を意味し、同一の受取人に対する発送品がいくつかある場合、発送品を選択し得る一覧表が表示される、「顧客番号による」；及び
ポスト２４システムにおいて利用される小包ＩＤによることを意味する、「システムＩＤによる」；
を提示する。
【００９６】
選択メニューにおいては、選択基準とその下に一覧表があって、「中止」フィールドが利用者メニューに戻ることを可能にする。
【００９７】
受箱が選択された場合、開放手順の目的が問われる。これは「取り出し用」又は「チェック用」であり得る。受箱番号によって選択されたものが空き受箱の場合、受箱はコントロールの目的上、自動的に開けられる。「取り出し用」が選択された場合、発送品は取り出されたものとして示されて受箱は新たな発送品用に開放される。
【００９８】
（Ｂ２Ｂ受箱の開放）
Ｂ２Ｂ配達人及び保守技術者はこのメニュー項目によってＢ２Ｂ区域における受箱を開けることが可能である。以下の選択基準、すなわち：
配達物装置の受箱数を意味する、「受箱番号による」；
ポスト２４顧客番号を意味し、同一の受取人に対する発送品がいくつかある場合、発送品を選択する一覧表が表示される、「顧客番号による」；及び
ポスト２４システムにおいて利用される小包ＩＤによることを意味し、重複は認められない、「システムＩＤによる」；
を提示する。
【００９９】
選択メニューにおいては、選択基準とその下の一覧表と共に、「中止」のフィールドが利用者メニューに戻ることを可能にする。
【０１００】
受箱が選択された場合、開放目的が問われる必要がある。これは「取り出し用」又は「チェック用」であり得る。受箱番号によって選択されたものが空き受箱の場合、コントロール上の目的で、受箱は自動的に開放される。「取り出し用」の場合、発送品は取り出されたものとして示され、受箱は新たな発送品用に開放される。
【０１０１】
配達物装置、特に循環昇降機システム、においては、このメニュー項目は「配達物装置の不具合」と呼び得る。更に、入力フィールドが設けられる。この目的では、仮想キーボードがモニタ上に出現することが必要になる。
【０１０２】
ここでも、利用者が利用者メニューに戻る「中止」フィールドが必要になる。
【０１０３】
【表２】
2005505365.tif 000004
これらの機能の実現は配達物装置の製造業者によって、特に電子小包受箱システムの保守及び検査の頻度の関数として、変更し得る。配達物装置製造業者の代わりに、上記の機能を変更することなく、他の保守人員に上記アクセス権を保有させ得る。
【図面の簡単な説明】
【０１０４】
【図１】本発明による小包受箱システムの概略図である。
【図１】
2005505365.tif 000005
【国際公開パンフレット】
2005505365.tif 000006
2005505365.tif 000007
2005505365.tif 000008
2005505365.tif 000009
2005505365.tif 000010
2005505365.tif 000011
2005505365.tif 000012
2005505365.tif 000013
2005505365.tif 000014
2005505365.tif 000015
2005505365.tif 000016
2005505365.tif 000017
2005505365.tif 000018
2005505365.tif 000019
2005505365.tif 000020
2005505365.tif 000021
2005505365.tif 000022
2005505365.tif 000023
2005505365.tif 000024
2005505365.tif 000025
2005505365.tif 000026
2005505365.tif 000027
2005505365.tif 000028
2005505365.tif 000029
2005505365.tif 000030
2005505365.tif 000031
2005505365.tif 000032
2005505365.tif 000033
2005505365.tif 000034
2005505365.tif 000035
2005505365.tif 000036
2005505365.tif 000037
【国際公開パンフレット（コレクトバージョン）】
2005505365.tif 000038
2005505365.tif 000039
【手続補正書】
【提出日】平成15年9月30日(2003.9.30)
【手続補正１】
【補正対象書類名】明細書
【補正対象項目名】０００３
【補正方法】変更
【補正の内容】
【０００３】
従来の技術には、一般的な類の電子小包受箱システムのものがある（特許文献１参照。）。該電子小包受箱システムは小包受箱に物品を配置する納入業者だけでなく、小包受箱から物品を集める顧客の識別及び許可を、カードによって自らを識別してカード保有者の身元をチェックする役目を担う操作端末に機密番号を入力することによって行う。
また、ロッカー装置の電子ロック・システムを制御して、かつ、ロッカー装置をアクセスする権限を付与するコンピュータを有するロッカー装置のものもある（特許文献２参照。）。該装置においては、電子鍵システムによって自らを身元確認する配達人が、適切な受箱を選択して、かつ、配達物を受け取る人の顧客番号の入力後に当該受箱を開けることが可能であり、当該番号は配達人にとって宛先としての役目を担う。受箱を満たした後、該受箱を閉めると、もはや配達人は開けることができなくなる。配達物を受け取る人は同様に、自らの顧客番号に基づいて電子鍵システムによって自らの身元確認を行って、かつ、その人に宛てられた小包の入った受箱へのアクセスを取得する。配達物を受け取る人は受箱の中に返送品を入れる可能性がある。
更に、ネットワークを経由して、納入業者から注文した商品が運送会社によってロッカー装置に入れられて、当該商品が顧客によって該ロッカーから取り出される、電子配達システムのものもある（特許文献３参照。）。該システムにおいては、ロッカー装置の利用者がアクセス鍵によって自らの身元確認を行うことによって、ロッカー装置の機能に対するアクセスを取得する。配達システムは、納入業者、顧客及び運送会社が単一集団として示されることで、機能が複数の集団によってアクセスし得るように操作することが可能である。
【特許文献１】
仏国特許発明第２５６３９８７号明細書
【特許文献２】
独国特許発明第１００００８３０Ａ１号明細書
【特許文献３】
国際公開０１／０３１５９３号パンフレット


【手続補正２】
【補正対象書類名】明細書
【補正対象項目名】０００７
【補正方法】変更
【補正の内容】
【０００７】
小包受箱システムの操作において考えられる最も高い柔軟性と、保護機能への不正アクセスに対する高いセキュリティとを兼ね合わせるために、当該利用は異なる利用者集団によって別個に実施される。


【手続補正３】
【補正対象書類名】明細書
【補正対象項目名】０００８
【補正方法】変更
【補正の内容】
【０００８】
利用者集団は当該配達物装置に対する同様なアクセス・プロフィールのある、すなわち、当該配達物装置にて同様な手順のある、人々の集団である。


【手続補正４】
【補正対象書類名】明細書
【補正対象項目名】００１１
【補正方法】変更
【補正の内容】
【００１１】
小包受箱システム及びそれを操作する方法の有益な実施例は、利用者インタフェースから取得した情報が上記の利用者割り当て手段によって利用可能になるように、利用者を利用者集団に割り当てる手段が利用者インタフェースに接続される点で特徴付けられる。


【手続補正５】
【補正対象書類名】特許請求の範囲
【補正対象項目名】全文
【補正方法】変更
【補正の内容】
【特許請求の範囲】
【請求項１】
利用者インタフェースのある、電子小包受箱システムであって、該電子小包受箱システムによって、前記利用者インタフェースは前記電子小包受箱システムの利用者から情報を取得する手段を有し、
前記電子小包受箱システムは前記利用者の利用者集団に対する割り当ての手段を有し、かつ、前記電子小包受箱システムには、前記利用者が所属する前記利用者集団に応じて、前記電子小包受箱システムの機能のいくつかから選ばれたものを利用者がアクセスすることを可能にするシステム制御が備え付けられている
ことを特徴とする小包受箱システム。
【請求項２】
請求項１記載の小包受箱システムであって、
前記利用者の利用者集団への割り当ての手段は、前記利用者インタフェースから取得された前記情報が前記利用者の前記割り当ての前記手段によって利用可能なように、前記利用者インタフェースに接続される；
ことを特徴とする小包受箱システム。
【請求項３】
請求項１及び２の一方又は両方に記載の小包受箱システムであって、
前記利用者の利用者集団に対する割り当ての前記手段はデータ回線を経由して送信された情報に基づいて前記割り当てを行う；  
ことを特徴とする小包受箱システム。
【請求項４】
請求項１乃至３の１つ以上に記載の小包受箱システムであって、
前記利用者集団に対する前記割り当てが、利用者識別情報を取得して、かつ、前記利用者識別情報とデータベース中の記載項目との比較を行うことによって行われる；
ことを特徴とする小包受箱システム。
【請求項５】
請求項１乃至４の１つ以上に記載の小包受箱システムであって、
異なる利用者集団について、前記電子小包受箱システムの機能に対する異なるアクセス許可を選択し得る；
ことを特徴とする小包受箱システム。
【請求項６】
請求項１乃至５の１つ以上に記載の小包受箱システムであって、
特定の小包受箱及び／又は小包受箱群が特定の利用者集団にのみアクセス可能である；
ことを特徴とする小包受箱システム。
【請求項７】
請求項６記載の小包受箱システムであって、
前記小包受箱の前記利用者集団に対する前記割り当ては変更し得る；
ことを特徴とする小包受箱システム。
【請求項８】
電子小包受箱システムを操作する方法であって、該方法によって該電子小包受箱システムの利用者の情報が取得され、
該情報の確かめられたものに基づいて、前記利用者が利用者集団に割り当てられ、かつ、前記電子小包受箱システムの制御は、該電子小包受箱システムの機能のいくつかから選ばれたものを利用者がアクセスすることを、前記利用者の属する前記利用者集団に応じて、可能にする；
ことを特徴とする方法。
【請求項９】
請求項８記載の方法であって、
前記アクセスする可能性の前記制御が、利用者を少なくとも１つの特定利用者集団に対して割り当てた後、いくつかの小包受箱を基本的に同時に開けさせる機能を起動し得るように、引き起こされる；
ことを特徴とする方法。
【国際調査報告】
2005505365.tif 000040
2005505365.tif 000041
2005505365.tif 000042
2005505365.tif 000043
2005505365.tif 000044
2005505365.tif 000045